(57)【要約】【課題】本発明の課題は、蓄熱コアの支持底面によって発生する騒音が低減される蓄熱暖房装置を設けることである。【解決手段】本発明は、第１および第２の中間壁（１１、１５）と、蓄熱コア（３）を支持するために第１および第２の中間壁（１１、１５）の間に配設される支持底面（１０）とを有する、蓄熱暖房装置であって、支持底面（１０）が振り子支持体（１３）を介して第１および第２の中間壁（１１、１５）と連結されるように、少なくとも１つの連結が支持底面（１０）の端部と中間壁（１１、１５）との間に可動軸受（３０）を介して実装される、蓄熱暖房装置である。【選択図】図１
2007093190.tif 000002
【特許請求の範囲】
【請求項１】
第１および第２の中間壁（１１、１５）と、蓄熱コア（３）を支持するために第１および第２の中間壁（１１、１５）の間に配設される支持底面（１０）とを有する、蓄熱暖房装置であって、支持底面（１０）が振り子支持体（１３）を介して第１および第２の中間壁（１１、１５）と連結されるように、少なくとも１つの連結が支持底面（１０）の端部と中間壁（１１、１５）との間に可動軸受（３０）を介して実装される、蓄熱暖房装置。
【請求項２】
第１の中間壁（１１）が自由断面（１２）を有する振り子支持体（１３）を有し、支持底面（１０）が歪なしに膨張できるように、支持底面（１０）が振り子支持体（１３）と連結される、請求項１に記載の蓄熱暖房装置。
【請求項３】
支持底面（１０）が歪なしに膨張できるように、ポケットの中に第１の中間壁（１１）に挿入できる自由断面を有する振り子支持体が生ずるように、支持底面（１０）がその一端で曲げられている、請求項１に記載の蓄熱暖房装置。
【発明の詳細な説明】
【技術分野】
【０００１】
本発明は、電気装置、特に蓄熱暖房装置に関する。蓄熱暖房装置においては、暖房装置の蓄熱コアの中に蓄積された熱エネルギーが一方で表面を介して空間内に、他方で蓄熱コアによってファンを利用して輸送される空気を介して引き渡される。
【背景技術】
【０００２】
独国実用新案第２０１１７０５３号は、この種の蓄熱暖房装置を示している。この場合、蓄熱暖房装置は、蓄熱コアを支持する支持床面の下側にファンを備えた蓄熱石からなる蓄熱コアを有する。典型的には、背後に配設されたスイッチング空間を有する中間壁が設けられている。蓄熱コアの蓄熱石が充填されている場合、前記蓄熱石が蓄積された熱を連続的に引き渡し、これが結果的に、蓄熱コアを支持する支持底面が加熱され、それによって膨張することにつながる。しかしながら、支持底面の膨張時に望ましくない騒音や破裂音が生じ得る。
【発明の開示】
【発明が解決しようとする課題】
【０００３】
本発明の課題は、蓄熱コアの支持底面によって発生する騒音が低減される蓄熱暖房装置を設けることである。
【課題を解決するための手段】
【０００４】
この課題は、請求項１に記載の蓄熱暖房装置によって解決される。
【０００５】
本発明は、支持底面を本質的に歪なしに配設し、支持底面の少なくとも一端が振り子支持体を介して軸支されるという発想による。それに対して、択一的または付加的に支持底面の少なくとも一端は、支持底面の歪なしの膨張が可能になるように自由断面で曲げることができる。
【０００６】
本発明の一実施態様に従って、自由断面を有する振り子支持体が蓄熱暖房装置の壁の中に配設され、振り子支持体は、支持底面が振り子支持体と連結されるように、支持底面の開口の中に挿入できる突起部を有する。それによって支持底面は、好ましくは固定軸受によって中間壁および可動軸受に軸支される。
【０００７】
本発明のもう１つの観点に従って、蓄熱暖房装置の壁が少なくとも１つのポケットを備えており、その中に自由断面を有する面取りされた支持底面は、支持底面が歪なしに可動軸受を利用して軸支できるように配設することができる。
【０００８】
本発明の別の実施態様は従属請求項の目的である。
【発明を実施するための最良の形態】
【０００９】
本発明の実施形態は、以下、図面を参照してより詳しく説明される。
【００１０】
図１は、第１の実施形態による蓄熱暖房装置１の概略断面図を示す。蓄熱暖房装置１は、ここで第１の中間壁１１と第２の中間壁１５とを有するハウジング５を有する。第１および第２の中間壁１１、１５の間に支持底面１０が設けられており、これは蓄熱コア３の収容に利用される。蓄熱コア３は、好ましくは多数の（図示しない）たとえば夜間運転中に加熱される蓄熱石を有し、次に蓄積された熱を日中に再び引き渡すために設けられている。任意選択により、支持底面１０と蓄熱コア３との間に断熱層１８を設けることができる。第２の中間壁１５に、支持底面１０が固定軸受２０を利用して連結されている。さらに支持底面１０は、中間壁１１に可動軸受を介して連結されている。可動軸受３０を利用して支持底面の歪なしの膨張を達成することができ、その際に望ましくない騒音は発生しない。
【００１１】
可動軸受３０は、好ましくは加熱と共に支持底面１０の膨張時に外方へ揺動する振り子支持体として、形成されている。
【００１２】
第２の中間壁１５は、蓄熱コア３の領域をスイッチング空間１６から分離する。
【００１３】
図２は、第２の実施形態に記載されている第１の中間壁１１の断面図を示す。この断面図を利用して、可動軸受３０の実施態様をより詳しく説明することができる。中間壁１１の中に自由断面１２を利用して振り子支持体１３が実現されている。任意選択により、振り子支持体１３は突起部１４を有することができる。支持底面１０の端部は開口を有し、その中に振り子支持体１３の突起部１４を挿入することができ、その結果、支持底面が振り子支持体と連結され、それによって可動軸受を実装することができる。支持底面の膨張時に振り子支持体１３は外方へ揺動し、支持底面が再び引き戻されるとき、振り子支持体１３が再び内方へ揺動する。
【００１４】
本発明の第３の実施形態に従って、可動軸受３０は、支持底面１０が一端に自由断面を利用して曲げられ、第１の中間壁１１でポケットの中に挿入されることによって実装される。それによって再び振り子支持体が実現され、振り子支持体が第１の中間壁１１ではなく、支持底面１０自体に固定されている。
【００１５】
最後に本発明の特徴をまとめる。
【００１６】
１．第１および第２の中間壁（１１、１５）と、蓄熱コア（３）を支持するために第１および第２の中間壁（１１、１５）の間に配設される支持底面（１０）とを有する、蓄熱暖房装置であって、支持底面（１０）が振り子支持体（１３）を介して第１および第２の中間壁（１１、１５）と連結されるように、少なくとも１つの連結が支持底面（１０）の端部と中間壁（１１、１５）との間に可動軸受（３０）を介して実装される、蓄熱暖房装置。
【００１７】
２．第１の中間壁（１１）が自由断面（１２）を有する振り子支持体（１３）を有し、支持底面（１０）が歪なしに膨張できるように、支持底面（１０）が振り子支持体（１３）と連結される、請求項１に記載の蓄熱暖房装置。
【００１８】
３．支持底面（１０）が歪なしに膨張できるように、ポケットの中に第１の中間壁（１１）に挿入できる自由断面を有する振り子支持体が生ずるように、支持底面（１０）がその一端で曲げられている、請求項１に記載の蓄熱暖房装置。
【図面の簡単な説明】
【００１９】
【図１】第１の実施形態による蓄熱暖房装置の概略断面図である。
【図２】第２の実施形態による蓄熱暖房装置の部分図である。
【図１】
2007093190.tif 000003
【図２】
2007093190.tif 000004